(57)【要約】【課題】  微細な周波数の調整ができると共に、各製品毎に精度の高い周波数の調整ができる非可逆回路素子、及びその調整方法を提供する。【解決手段】  本発明の非可逆回路素子は、第１のヨーク１と、上板１ａの下面に配置された磁石２と、底板３ａを有し、第１のヨーク１とで磁気閉回路を構成する第２のヨーク３と、底板３ａと磁石２との間に配設されたフェライト部材５と、誘電体１０を介して上下方向に一部が交叉するようにフェライト部材５上に配設された第１，第２，第３の中心導体６，７，８と、この中心導体に接続されたコンデンサＣ１，Ｃ２，Ｃ３とを備え、中心導体６，７，８には、周波数調整用の切り込み部１４、又は／及び削り部１８が設けられたため、従来に比して周波数の微細な調整ができて、精度の高いものが得られる。【選択図】        図４
2006033054.tif 000002
【特許請求の範囲】
【請求項１】
上板を有する第１のヨークと、前記上板の下面に配置された磁石と、平板状の底板を有し、前記第１のヨークとで磁気閉回路を構成する第２のヨークと、前記底板と前記磁石との間に配設された平板状のフェライト部材と、誘電体を介して上下方向に一部が交叉するように前記フェライト部材上に配設された第１，第２，第３の中心導体と、この中心導体に接続されたコンデンサとを備え、前記中心導体には、周波数調整用の切り込み部、又は／及び削り部が設けられたことを特徴とする非可逆回路素子。
【請求項２】
周波数調整用の前記切り込み部、又は／及び前記削り部は、前記中心導体が前記フェライト部材の上面と対向しない箇所に設けられたことを特徴とする請求項１記載の非可逆回路素子。
【請求項３】
周波数調整用の前記切り込み部、又は／及び前記削り部は、前記中心導体が前記フェライト部材の上面と対向する箇所に設けられたことを特徴とする請求項１記載の非可逆回路素子。
【請求項４】
前記切り込み部、又は／及び前記削り部は、前記中心導体が延びる方向に設けられたことを特徴とする請求項１から３の何れかに記載の非可逆回路素子。
【請求項５】
前記中心導体には、前記中心導体の延びる方向に対して直角方向に延びる調整用の突出部が設けられ、前記突出部、又は／及び前記突出部が位置する前記中心導体には、周波数調整用の前記切り込み部、又は／及び前記削り部が設けられたことを特徴とする請求項１から３の何れかに記載の非可逆回路素子。
【請求項６】
前記切り込み部、又は／及び前記削り部は、前記中心導体が交叉した箇所と前記コンデンサが接続された箇所との間に位置する前記中心導体に設けられたことを特徴とする請求項１から５の何れかに記載の非可逆回路素子。
【請求項７】
前記第１，第２，第３の中心導体は、それぞれが連結される接地板部を有し、前記第１，第２，第３の中心導体と前記接地板部が１枚の金属薄板で形成されると共に、前記接地板部が前記フェライト部材の下面に位置して前記第２のヨークの前記底板に接触され、前記第１，第２，第３の中心導体が折り曲げられて前記フェライト部材上に位置したことを特徴とする請求項１から６の何れかに記載の非可逆回路素子。
【請求項８】
底板を有する第２のヨークと、前記底板上に載置された平板状のフェライト部材と、誘電体を介して上下方向に一部が交叉するように前記フェライト部材上に配設された第１，第２，第３の中心導体と、この中心導体に接続され、前記第２のヨークに支持されたコンデンサとからなる半製品部材、及び前記中心導体に磁気バイアスを与える疑似磁石とを有し、前記疑似磁石によって前記中心導体に前記磁気バイアスが作用している状態で、前記中心導体には、調整装置によって周波数調整用の切り込み部、又は／及び削り部が設けられたことを特徴とする非可逆回路素子の調整方法。
【請求項９】
前記半製品部材に接続された測定装置を有し、前記測定装置で測定された電気的なデータに基づいて、前記調整装置によって周波数調整用の前記切り込み部、又は／及び前記削り部が設けられたことを特徴とする請求項８記載の非可逆回路素子の調整方法。
【請求項１０】
前記測定装置で測定された電気的なデータを監視しながら前記調整装置によって前記切り込み部、又は／及び前記削り部が設けられたことを特徴とする請求項９記載の非可逆回路素子の調整方法。
【発明の詳細な説明】
【技術分野】
【０００１】
本発明は携帯電話機等の移動体通信機の送信部等に適用されるアイソレータやサーキュレータからなる非可逆回路素子、及びその調整方法に関する。
【背景技術】
【０００２】
図１０は従来の非可逆回路素子の分解斜視図で、次に、従来の非可逆回路素子の構成を図１０に基づいて説明すると、箱形の磁性板からなる第１のヨーク５１は、上板５１ａと４つの側板５１ｂを有し、この第１のヨーク５１内には、合成樹脂の成型品からなる端子ブロック５２と、この端子ブロック５２の中央部に設けられた孔５２ａ内に位置する磁石５３が収納されている。
【０００３】
磁性材からなるＵ字状の第２のヨーク５４は、底板５４ａと一対の側板５４ｂを有し、この第２のヨーク５４の側板５４ｂが第１のヨーク５１の側板５１ｂに結合されて、第１，第２のヨーク５１，５４とで磁気閉回路が構成されている。
【０００４】
２枚の基板と導電パターンからなる電極基板５５には、第１，第２，第３の中心導体５６，５７，５８が設けられると共に、この電極基板５５上には、２つのチップ抵抗器Ｒ１，Ｒ２が配設されて、電極基板５５が端子ブロック５２の下面に配置されている。
【０００５】
プリント基板５９は、中央部に孔５９ａを有すると共に、その表面には３つのアース電極６０が設けられ、このプリント基板５９は、電極基板５５に対向した状態で、第２のヨーク５４の底板５４ａ上に載置されている。
【０００６】
平板状のフェライト部材６１は、プリント基板５９の孔５９ａ内に収納された状態で、底板５４ａ上に載置され、また、単板型コンデンサＣ１，Ｃ２，Ｃ３は、電極基板５５とプリント基板５９の間に挟まれて配置され、単板型コンデンサＣ１，Ｃ２，Ｃ３の一方の電極（図示せず）は、第１，第２，第３の中心導体５６，５７，５８のポート部に接続され、また、他方の電極（図示せず）は、アース電極６０に接続されて、アイソレータからなる従来の非可逆回路素子が形成されている。（例えば、特許文献１参照）
【０００７】
そして、このような構成を有する従来の非可逆回路素子は、単板型コンデンサＣ１，Ｃ２，Ｃ３の電極をトリミング（削る）することによって、共振周波数が整合容量で調整されると、僅かな電極がトリミングされると、大幅に周波数が変化するので、微細な周波数の調整ができない。
【０００８】
また、従来の非可逆回路素子の調整方法、即ち、非可逆回路素子の周波数の調整方法は、予め単板型コンデンサＣ１，Ｃ２，Ｃ３の電極がトリミングされた後、非可逆回路素子の組立が行われるようになっている。（例えば、特許文献１参照）
そして、このように予め単板型コンデンサＣ１，Ｃ２，Ｃ３の電極がトリミングされたものが、非可逆回路素子として組み立てられて完成すると、第１，第２，第３の中心導体５６，５７，５８の長さ、及び交叉状態のバラツキや、第１，第２，第３の中心導体５６，５７，５８とフェライト部材６１との間の対向状態のバラツキ等によって、製品毎に周波数のバラツキが生じる。
【０００９】
【特許文献１】特開平７−５８５２５号公報
【発明の開示】
【発明が解決しようとする課題】
【００１０】
従来の非可逆回路素子は、単板型コンデンサＣ１，Ｃ２，Ｃ３の電極をトリミングすることによって、共振周波数が整合容量で調整されると、僅かな電極がトリミングされると、大幅に周波数が変化するので、微細な周波数の調整ができないという問題がある。
従来の非可逆回路素子の調整方法は、予め単板型コンデンサＣ１，Ｃ２，Ｃ３の電極がトリミングされた後、非可逆回路素子の組立が行われるようになっているため、第１，第２，第３の中心導体５６，５７，５８の長さ、及び交叉状態のバラツキや、第１，第２，第３の中心導体５６，５７，５８とフェライト部材６１との間の対向状態のバラツキ等によって、製品毎に周波数のバラツキが生じるという問題がある。
【００１１】
そこで、本発明は微細な周波数の調整ができると共に、各製品毎に精度の高い周波数の調整ができる非可逆回路素子、及びその調整方法を提供することを目的とする。
【課題を解決するための手段】
【００１２】
上記課題を解決するための第１の解決手段として、上板を有する第１のヨークと、前記上板の下面に配置された磁石と、平板状の底板を有し、前記第１のヨークとで磁気閉回路を構成する第２のヨークと、前記底板と前記磁石との間に配設された平板状のフェライト部材と、誘電体を介して上下方向に一部が交叉するように前記フェライト部材上に配設された第１，第２，第３の中心導体と、この中心導体に接続されたコンデンサとを備え、前記中心導体には、周波数調整用の切り込み部、又は／及び削り部が設けられた構成とした。
【００１３】
また、第２の解決手段として、周波数調整用の前記切り込み部、又は／及び前記削り部は、前記中心導体が前記フェライト部材の上面と対向しない箇所に設けられた構成とした。
また、第３の解決手段として、周波数調整用の前記切り込み部、又は／及び前記削り部は、前記中心導体が前記フェライト部材の上面と対向する箇所に設けられた構成とした。
【００１４】
また、第４の解決手段として、前記切り込み部、又は／及び前記削り部は、前記中心導体が延びる方向に設けられた構成とした。
また、第５の解決手段として、前記中心導体には、前記中心導体の延びる方向に対して直角方向に延びる調整用の突出部が設けられ、前記突出部、又は／及び前記突出部が位置する前記中心導体には、周波数調整用の前記切り込み部、又は／及び前記削り部が設けられた構成とした。
【００１５】
また、第６の解決手段として、前記切り込み部、又は／及び前記削り部は、前記中心導体が交叉した箇所と前記コンデンサが接続された箇所との間に位置する前記中心導体に設けられた構成とした。
【００１６】
また、第７の解決手段として、前記第１，第２，第３の中心導体は、それぞれが連結される接地板部を有し、前記第１，第２，第３の中心導体と前記接地板部が１枚の金属薄板で形成されると共に、前記接地板部が前記フェライト部材の下面に位置して前記第２のヨークの前記底板に接触され、前記第１，第２，第３の中心導体が折り曲げられて前記フェライト部材上に位置した構成とした。
【００１７】
また、第８の解決手段として、底板を有する第２のヨークと、前記底板上に載置された平板状のフェライト部材と、誘電体を介して上下方向に一部が交叉するように前記フェライト部材上に配設された第１，第２，第３の中心導体と、この中心導体に接続され、前記第２のヨークに支持されたコンデンサとからなる半製品部材、及び前記中心導体に磁気バイアスを与える疑似磁石とを有し、前記疑似磁石によって前記中心導体に前記磁気バイアスが作用している状態で、前記中心導体には、調整装置によって周波数調整用の切り込み部、又は／及び削り部が設けられた調整方法とした。
【００１８】
また、第９の解決手段として、前記半製品部材に接続された測定装置を有し、前記測定装置で測定された電気的なデータに基づいて、前記調整装置によって周波数調整用の前記切り込み部、又は／及び前記削り部が設けられた調整方法とした。
また、第１０の解決手段として、前記測定装置で測定された電気的なデータを監視しながら前記調整装置によって前記切り込み部、又は／及び前記削り部が設けられた調整方法とした。
【発明の効果】
【００１９】
本発明の非可逆回路素子は、上板を有する第１のヨークと、上板の下面に配置された磁石と、平板状の底板を有し、第１のヨークとで磁気閉回路を構成する第２のヨークと、底板と磁石との間に配設された平板状のフェライト部材と、誘電体を介して上下方向に一部が交叉するようにフェライト部材上に配設された第１，第２，第３の中心導体と、この中心導体に接続されたコンデンサとを備え、中心導体には、周波数調整用の切り込み部、又は／及び削り部が設けられた構成とした。
このように、周波数調整用の切り込み部、又は／及び削り部が中心導体に設けられると、従来に比して周波数の微細な調整ができて、精度の高いものが得られる。
【００２０】
また、周波数調整用の切り込み部、又は／及び削り部は、中心導体がフェライト部材の上面と対向しない箇所に設けられたため、共振周波数のみの調整が可能にできる。
【００２１】
また、周波数調整用の切り込み部、又は／及び削り部は、中心導体がフェライト部材の上面と対向する箇所に設けられたため、共振周波数の他に、挿入損失や反射損失等の調整が同時にできる。
【００２２】
また、切り込み部、又は／及び削り部は、中心導体が延びる方向に設けられたため、共振周波数の他に、挿入損失や反射損失等の調整が同時にできる。
【００２３】
また、中心導体には、中心導体の延びる方向に対して直角方向に延びる調整用の突出部が設けられ、突出部、又は／及び突出部が位置する中心導体には、周波数調整用の切り込み部、又は／及び削り部が設けられたため、共振周波数の調整が簡単にできる。
【００２４】
また、切り込み部、又は／及び削り部は、中心導体が交叉した箇所とコンデンサが接続された箇所との間に位置する中心導体に設けられたため、共振周波数の他に、挿入損失や反射損失等の調整が効果的にできる。
【００２５】
また、第１，第２，第３の中心導体は、それぞれが連結される接地板部を有し、第１，第２，第３の中心導体と接地板部が１枚の金属薄板で形成されると共に、接地板部がフェライト部材の下面に位置して第２のヨークの底板に接触され、第１，第２，第３の中心導体が折り曲げられてフェライト部材上に位置したため、切り込み部、又は／及び削り部が金属薄板に形成できて、精度の良い加工ができる。
【００２６】
また、底板を有する第２のヨークと、底板上に載置された平板状のフェライト部材と、誘電体を介して上下方向に一部が交叉するようにフェライト部材上に配設された第１，第２，第３の中心導体と、この中心導体に接続され、第２のヨークに支持されたコンデンサとからなる半製品部材、及び中心導体に磁気バイアスを与える疑似磁石とを有し、疑似磁石によって中心導体に磁気バイアスが作用している状態で、中心導体には、調整装置によって周波数調整用の切り込み部、又は／及び削り部が設けられたため、第１，第２，第３の中心導体の長さ、及び交叉状態のバラツキや、第１，第２，第３の中心導体とフェライト部材との間の対向状態のバラツキ等があっても、個々の半製品部材に対応した調整が可能となって、精度の高い周波数の調整ができる。
【００２７】
また、半製品部材に接続された測定装置を有し、測定装置で測定された電気的なデータに基づいて、調整装置によって周波数調整用の切り込み部、又は／及び削り部が設けられたため、個々の半製品部材に対応した調整が可能となって、より精度の高い周波数の調整ができる。
【００２８】
また、測定装置で測定された電気的なデータを監視しながら調整装置によって切り込み部、又は／及び削り部が設けられたため、調整が容易で、且つ、確実な調整ができる。
【発明を実施するための最良の形態】
【００２９】
本発明の非可逆回路素子、及びその調整方法の図面を説明すると、図１は本発明の非可逆回路素子の第１実施例に係る平面図、図２は図１の２−２線における断面図、図３は本発明の非可逆回路素子の第１実施例に係り、中心導体とコンデンサの状態を示す要部断面図、図４は本発明の非可逆回路素子の第１実施例に係り、第１のヨークと磁石を取り去った状態の平面図、図５は本発明の非可逆回路素子の第１実施例に係る第２のヨークの平面図である。
【００３０】
また、図６は本発明の非可逆回路素子の調整方法を示し、第１のヨークと磁石を取り去った状態の平面図、図７は本発明の非可逆回路素子の調整方法を説明するための説明図、図８は本発明の非可逆回路素子の第２実施例に係り、第１のヨークと磁石を取り去った状態の平面図、図９は本発明の非可逆回路素子の第３実施例に係り、第１のヨークと磁石を取り去った状態の平面図である。
【００３１】
次に、本発明の非可逆回路素子の第１実施例に係る構成を図１〜図５の基づいて説明すると、磁性板（鉄板等）からなるＵ字状や箱形の第１のヨーク１は、四角形状の上板１ａと、この上板１ａの辺から下方に折り曲げられた側板１ｂを有し、この第１のヨーク１の上板１ａの下面には、磁石２が適宜手段によって取り付けられている。
【００３２】
磁性板（鉄板等）からなるＵ字状や箱形の第２のヨーク３は、四角形状の平板状の底板３ａと、この底板３ａの辺から上方に折り曲げられた側板３ｂを有し、この第２のヨーク３には、合成樹脂の成形加工によって樹脂ケース４が一体に設けられ、この樹脂ケース４は、特に図５に示すように、底板３ａが露出した状態で中央部に設けられた貫通孔４ａと、底板３ａが露出した状態で、貫通孔４ａの周囲に設けられた複数の貫通孔４ｂを有する。
【００３３】
ＹＩＧ（Ｙｔｔｒｉｕｍ  ｉｒｏｎ  ｇａｒｎｅｔ）等からなる多角形等の平板状のフェライト部材５は、樹脂ケース４の中央部に位置する貫通孔４ａに位置決めされて取り付けられるようになっている。
【００３４】
銅等の金属薄板からなる第１，第２，第３の中心導体６，７，８は、ポート部６ａ、７ａ、８ａと、アース部６ｂ、７ｂ、８ｂを有し、この第１，第２，第３の中心導体６，７，８のそれぞれのアース部６ｂ、７ｂ、８ｂの一端は、金属薄板からなる接地板部９に連結されて、第１，第２，第３の中心導体６，７，８と接地板部９が一体になっている。
即ち、第１，第２，第３の中心導体６，７，８と接地板部９は、１枚の金属薄板で形成されている。
【００３５】
そして、フェライト部材５への第１，第２，第３の中心導体６，７，８と接地板部９の取付は、先ず、フェライト部材５の下面に接地板部９を配置した状態で、第１，第２，第３の中心導体６，７，８がフェライト部材５の側面に沿って折り曲げられた後、更に、第１，第２，第３の中心導体６，７，８がフェライト部材５の上面側に折り曲げられると、図４に示すように、フェライト部材５の中央部で第１，第２，第３の中心導体６，７，８の一部が交叉状態になると共に、ポート部６ａ、７ａ、８ａ側がフェライト部材５の上面から外方に突出した状態となる。
【００３６】
また、第１，第２，第３の中心導体６，７，８の交叉する箇所には、相互の絶縁を図るために誘電体１０が設けられており、このような状態で組み合わされた第１，第２，第３の中心導体６，７，８とフェライト部材５が樹脂ケース４の貫通孔４ａに挿入されると、接地板部９が底板３ａに接触して、第１，第２，第３の中心導体６，７，８のアース部６ｂ、７ｂ、８ｂが接地されると共に、ポート部６ａ、７ａ、８ａ側が樹脂ケース４の上面側で延びた状態になる。
【００３７】
チップ型や単板型等からなる第１，第２，第３のコンデンサＣ１，Ｃ２，Ｃ３は、平板状の絶縁体１１と、この絶縁体１１を挟んで対向して設けられた第１，第２の電極１２ａ、１２ｂを有し、この第１，第２，第３のコンデンサＣ１，Ｃ２，Ｃ３は、樹脂ケース４の貫通孔４ｂ内にそれぞれ挿入、位置決めされて取り付けられる。
【００３８】
そして、第１，第２，第３のコンデンサＣ１，Ｃ２，Ｃ３の下部電極である第２の電極１２ｂは、底板３ｂに半田付けされて接地されると共に、上部電極である第１の電極１２ａは、第１，第２，第３の中心導体６，７，８のそれぞれのポート部６ａ、７ａ、８ａが半田付けによって接続されている。
【００３９】
抵抗器Ｒは、第１，第２の電極１３ａ、１３ｂと、この第１，第２の電極１３ａ、１３ｂ間に設けられた抵抗体１３ｃを有し、この抵抗器Ｒは、樹脂ケース４の１つの貫通孔４ｂ内に挿入、位置決めされ、第１の電極１３ａは、底板３ａから絶縁された状態で、第３の中心導体８のポート部８ａに半田付けされて接続されると共に、第２の電極１３ｂは、底板３ａに接続されて接地されている。
【００４０】
そして、フェライト部材５は、磁石２と底板３ａとの間に配置され、また、第１，第２，第３の中心導体６，７，８は、磁石２とフェライト部材５との間に配置されると共に、この第１，第２，第３の中心導体６，７，８には、図４に示すように、周波数調整用の切り込み部１４が設けられている。
【００４１】
この周波数調整用の切り込み部１４は、後述するレーザ等の調整装置によって行われるようになっており、図４に示す周波数調整用の切り込み部１４は、交叉した箇所とコンデンサＣ１，Ｃ２，Ｃ３が接続された箇所との間のポート部６ａ、７ａ、８ａ側で、且つ、第１，第２，第３の中心導体６，７，８がフェライト部材５の上面に対向しない箇所に設けられている。
【００４２】
そして、第１，第２の中心導体６，７では、中心導体の延びる方向に孔からなる切り込み部１４が設けられ、また、第３の中心導体８では、中心導体の延びる方向と直角方向に孔からなる切り込み部１４が設けられている。
このような構成によって本発明のアイソレータからなる非可逆回路素子が形成されている。
【００４３】
なお、この実施例では、周波数調整用の切り込み部１４がフェライト部材５の上面に位置しない箇所に設けられたもので説明したが、周波数調整用の切り込み部１４がフェライト部材５の上面に位置する箇所に設けられたものでも良く、また、周波数調整用の切り込み部１４が設けられたもので説明したが、中心導体の側辺等の一部が削られた削り部を設けたものでも良く、更に、切り込み部１４と削り部を併用しても良い。
【００４４】
また、上記実施例では、アイソレータに適用されたもので説明したが、抵抗器Ｒを無くしたサーキュレータからなる非可逆回路素子でも良い。
【００４５】
次に、本発明の非可逆回路素子の調整方法、即ち、非可逆回路素子の周波数の調整方法を図６，図７に基づいて説明すると、先ず、図６に示すように、第２のヨーク３には、第１，第２，第３のコンデンサＣ１，Ｃ２，Ｃ３と抵抗器Ｒが組み込まれると共に、この第２のヨーク３に組み込まれたフェライト部材５上の第１，第２，第３の中心導体６，７，８が第１，第２，第３のコンデンサＣ１，Ｃ２，Ｃ３と抵抗器Ｒに接続された半製品部材Ｈを用意する。
【００４６】
そして、図７に示すように、この半製品部材Ｈは、治具（図示せず）上に支持された状態で、測定装置１５を接続すると共に、上部にレーザ装置等からなる周波数調整用の調整装置１６を配置し、且つ、磁石の代用である疑似磁石（ネオマテク）１７を配備する。
【００４７】
次に、疑似磁石（ネオマテク）１７によって第１，第２，第３の中心導体６，７，８に磁気バイアスを作用させた状態で、測定装置１５によって周波数等の電気的な特性の測定を行い、この電気的な特性データを監視しながら調整装置１６によって、第１，第２，第３の中心導体６，７，８に切り込み部１４、又は／及び削り部を設けて、共振周波数等の調整を行うと、その調整が完了する。
【００４８】
この調整が完了した後、半製品部材Ｈには、磁石２を取り付けた第１のヨーク１が組み合わされると、本発明の非可逆回路素子が製造されるようになる。
【００４９】
また、図８は本発明の非可逆回路素子の第２実施例を示し、この第２実施例の構成を説明すると、第１，第２の中心導体６，７には、中心導体の延びる方向に対して直角方向に延びる調整用の突出部６ｃ、７ｃが互いに向かい合うように設けられている。
【００５０】
そして、この突出部６ｃ、７ｃの先端部が削られた削り部１８を設けることによって、突出部６ｃ、７ｃの高さを小さくするようにして、周波数の調整を行ったり、この突出部６ｃ、７ｃの位置する中心導体に矢印Ａ方向の切り込み部１４を設けることによって、周波数の調整を行っている。
なお、突出部６ｃ、７ｃの高さを小さくする削り部１８と矢印Ａ方向の切り込み部１４を併用しても良い。
【００５１】
その他の構成は、上記第１実施例と同様であるので、同一部品に同一番号を付し、ここではその説明を省略する。
【００５２】
また、図９は本発明の非可逆回路素子の第３実施例を示し、この第３実施例の構成を説明すると、第１，第２の中心導体６，７には、中心導体の延びる方向に対して直角方向に延びる調整用の突出部６ｃ、７ｃが互いに相反する方向に延びて設けられている。
【００５３】
そして、この突出部６ｃ、７ｃの先端部が削られた削り部１８を設けることによって、突出部６ｃ、７ｃの高さを小さくするようにして、周波数の調整を行ったり、この突出部６ｃ、７ｃの位置する中心導体に矢印Ａ方向の切り込み部１４を設けることによって、周波数の調整を行っている。
なお、突出部６ｃ、７ｃの高さを小さくする削り部１８と矢印Ａ方向の切り込み部１４を併用しても良い。
【００５４】
その他の構成は、上記第１実施例と同様であるので、同一部品に同一番号を付し、ここではその説明を省略する。
【図面の簡単な説明】
【００５５】
【図１】本発明の非可逆回路素子の第１実施例に係る平面図。
【図２】図１の２−２線における断面図。
【図３】本発明の非可逆回路素子の第１実施例に係り、中心導体とコンデンサの状態を示す要部断面図。
【図４】本発明の非可逆回路素子の第１実施例に係り、第１のヨークと磁石を取り去った状態の平面図。
【図５】本発明の非可逆回路素子の第１実施例に係る第２のヨークの平面図。
【図６】本発明の非可逆回路素子の調整方法を示し、第１のヨークと磁石を取り去った状態の平面図。
【図７】本発明の非可逆回路素子の調整方法を説明するための説明図。
【図８】本発明の非可逆回路素子の第２実施例に係り、第１のヨークと磁石を取り去った状態の平面図。
【図９】本発明の非可逆回路素子の第３実施例に係り、第１のヨークと磁石を取り去った状態の平面図。
【図１０】従来の非可逆回路素子の分解斜視図。
【符号の説明】
【００５６】
１：第１のヨーク
１ａ：上板
１ｂ：側板
２：磁石
３：第２のヨーク
３ａ：底板
３ｂ：側板
４：樹脂ケース
４ａ、４ｂ：貫通孔
５：フェライト部材
６：第１の中心導体
６ａ：ポート部
６ｂ：アース部
６ｃ：突出部
７：第２の中心導体
７ａ：ポート部
７ｂ：アース部
７ｃ：突出部
８：第３の中心導体
８ａ：ポート部
８ｂ：アース部
９：接地板部
１０：誘電体
Ｃ１：第１のコンデンサ
Ｃ２：第２のコンデンサ
Ｃ３：第３のコンデンサ
１１：絶縁体
１２ａ：第１の電極
１２ｂ：第２の電極
Ｒ：抵抗器
１３ａ：第１の電極
１３ｂ：第２の電極
１３ｃ：抵抗体
１４：切り込み部
Ｈ：半製品部材
１５：測定装置
１６：調整装置
１７：疑似磁石
１８：削り部
【図１】
2006033054.tif 000003
【図２】
2006033054.tif 000004
【図３】
2006033054.tif 000005
【図４】
2006033054.tif 000006
【図５】
2006033054.tif 000007
【図６】
2006033054.tif 000008
【図７】
2006033054.tif 000009
【図８】
2006033054.tif 000010
【図９】
2006033054.tif 000011
【図１０】
2006033054.tif 000012